(57)【要約】【課題】  被梱包物を水平な状態にして梱包箱内に収容させる作業が簡単に行えると共に、被梱包物を衝撃などから適切に保護できるコーナー用緩衝材を提供する。【解決手段】  被梱包物２のコーナー部に装着させるコーナー用緩衝材１０において、被梱包物のコーナー部の上下面と対向するようにして所要間隔を介して設けられた上面部１１と下面部１２とにそれぞれ被梱包物のコーナー部の上下面を保持する保持リブ１１ａ，１２ａを設けると共に、被梱包物のコーナー部の交差する側面と対向すると共に上記の上面部と下面部とを連結する両側の側壁部１３，１３にそれぞれ被梱包物のコーナー部の側面に当接する規制リブ１４，１４を設けた。【選択図】  図５
2008184171.tif 000002
【特許請求の範囲】
【請求項１】
被梱包物のコーナー部に装着させるコーナー用緩衝材において、被梱包物のコーナー部の上下面と対向するようにして所要間隔を介して設けられた上面部と下面部とにそれぞれ被梱包物のコーナー部の上下面を保持する保持リブが設けられると共に、被梱包物のコーナー部の交差する側面と対向すると共に上記の上面部と下面部とを連結する両側の側壁部にそれぞれ被梱包物のコーナー部の側面に当接する規制リブが設けられていることを特徴とするコーナー用緩衝材。
【請求項２】
請求項１に記載のコーナー用緩衝材において、上記の上面部と下面部とに設ける保持リブが上記の両側の側壁部が交差する角部から４５度の角度で延出されると共に、上記の両側の側壁部に設けられた規制リブの角部側の面がそれぞれの側壁部に対して４５度傾斜していることを特徴とするコーナー用緩衝材。
【請求項３】
請求項１又は請求項２に記載のコーナー用緩衝材が一体成形されていることを特徴とするコーナー用緩衝材。
【請求項４】
請求項１〜請求項３の何れか１項に記載のコーナー用緩衝材において、上記の上面部と下面部との少なくとも一方に、上記の保持リブとは反対側に突出した補強リブが設けられていることを特徴とするコーナー用緩衝材。
【発明の詳細な説明】
【技術分野】
【０００１】
本発明は、各種の被梱包物を梱包箱内に収納させる際などに、被梱包物のコーナー部に装着させて被梱包物を衝撃などから保護するのに使用するコーナー用緩衝材に係り、特に、被梱包物を水平な状態にして梱包箱内に収容させる作業が簡単に行えると共に、被梱包物を衝撃などから適切に保護できるようにした点に特徴を有するものである。
【背景技術】
【０００２】
従来から、複写機やプリンタ等の画像形成装置に用いる各種のユニットやカートリッジなどの被梱包物を、段ボールなどで構成された梱包箱内に収容させて、運搬したり、保管したりすることが行われている。
【０００３】
そして、各種のユニットやカートリッジなどの被梱包物を梱包箱内に収容させるにあたっては、これらの被梱包物に衝撃が加わって被梱包物が破損したりするのを防止するため、この被梱包物を梱包箱内に収容させる際に、この被梱包物の各コーナー部にコーナー用緩衝材を装着させて、被梱包物に加わる衝撃を緩和させることが行われている。
【０００４】
ここで、被梱包物のコーナー部に装着させるコーナー用緩衝材としては、一般に図１に示すように、被梱包物２のコーナー部が嵌め込まれる凹部１ａが形成されたコーナー用緩衝材１を上下一対にして用いるようにしている。
【０００５】
そして、このような一対のコーナー用緩衝材１，１を被梱包物２の各コーナー部に装着させるにあたっては、図２に示すように、一対のコーナー用緩衝材１，１における凹部１ａ，１ａ相互が対向するようにして、この一対のコーナー用緩衝材１，１を被梱包物２のコーナー部の上下に配し、各コーナー用緩衝材１，１における凹部１ａ，１ａ内に被梱包物のコーナー部を嵌め込むようにして、一対のコーナー用緩衝材１，１により被梱包物２の各コーナー部をそれぞれ上下方向に挟み込むようにしている。
【０００６】
また、上記のように被梱包物２の各コーナー部にそれぞれ上記の一対のコーナー用緩衝材１，１を装着させるようにして、被梱包物２を梱包箱３内に収容させるにあたっては、図３及び図４に示すように、梱包箱３の底部３ａの各隅部に、各コーナー用緩衝材１の凹部１ａが上面側に位置するようにして、各コーナー用緩衝材１の平面部１ｂ及び側壁部１ｃを梱包箱３に接触させ、この状態で、上記の被梱包物２の各コーナー部を各コーナー用緩衝材１の凹部１ａ内に嵌め込むようにして、被梱包物２を各コーナー用緩衝材１の上にセットさせる。
【０００７】
次いで、上記のようにセットした被梱包物１の上面側の各コーナー部をコーナー用緩衝材１の凹部１ａ内に嵌め込むようにして、各コーナー用緩衝材１を被梱包物２の上面側の各コーナー部にセットし、梱包箱３の蓋３ｂを閉じるようにしている。
【０００８】
しかし、上記のように被梱包物２の各コーナー部を、梱包箱３の底部３ａの各隅部に配置された各コーナー用緩衝材１の凹部１ａ内に嵌め込むようにして、被梱包物２を各コーナー用緩衝材１の上に正確にセットする作業は困難であり、被梱包物２のコーナー部が各コーナー用緩衝材１の凹部１ａ内にうまくセットされずに、被梱包物１が傾いた状態でセットされるおそれがあり、例えば、画像形成装置に用いる中間転写ベルトユニットなどの水平性が要求される被梱包物の場合には、その性能が低下するなどの問題があった。
【０００９】
また、上記のように各コーナー用緩衝材１の平面部１ｂ及び側壁部１ｃを梱包箱３に接触させると共に、被梱包物２のコーナー部を各コーナー用緩衝材１の凹部１ａ内に嵌め込むようにした場合、梱包箱３に加わった衝撃が上記のコーナー用緩衝材１によって十分に緩和されずに被梱包物２に加わり、被梱包物２が破損したりするおそれがあった。
【００１０】
さらに、上記のコーナー用緩衝材１においては、分離した一対のコーナー用緩衝材１，１を被梱包物２のコーナー部の上下に配置させて、被梱包物２のコーナー部を挟むようにしているだけであるため、被梱包物２が上下方向にがたつくのを十分に抑制することができないという問題もあった。
【００１１】
また、近年においては、被梱包物のコーナー部を装着させる一対のコーナー用緩衝材の凹部にそれぞれ梱包物のコーナー部を部分的に保持させるリブを設けると共に、梱包箱と接触するコーナー用緩衝材の側壁部にもリブを設け、これらのリブの変形によって梱包箱に加わった衝撃を吸収して、被梱包物に加わる衝撃を緩和させるようにしたものが提案されている（例えば、特許文献１参照。）。
【００１２】
しかし、上記のコーナー用緩衝材においても、被梱包物のコーナー部の上下面を分離された一対のコーナー用緩衝材によって挟むようにするものであるため、被梱包物を梱包箱内に収容させる場合、前記の一対のコーナー用緩衝材１，１と同様に、被梱包物を各コーナー用緩衝材の上に正確にセットする作業は困難であり、被梱包物のコーナー部が各コーナー用緩衝材にうまくセットされずに、被梱包物が傾いた状態でセットされるおそれがあり、また被梱包物の上下方向のがたつきを十分に抑制することもできないという問題が依然として存在した。
【特許文献１】特開２００４−１５５５０２号公報
【発明の開示】
【発明が解決しようとする課題】
【００１３】
本発明は、被梱包物を梱包箱内に収容させる際などに、被梱包物のコーナー部に装着させるコーナー用緩衝材における上記のような問題を解決することを課題とするものであり、被梱包物を水平な状態にして梱包箱内に収容させる作業が簡単に行えると共に、被梱包物を衝撃などから適切に保護できるようにすることを課題とするものである。
【課題を解決するための手段】
【００１４】
本発明においては、上記のような課題を解決するため、被梱包物のコーナー部に装着させるコーナー用緩衝材において、被梱包物のコーナー部の上下面と対向するようにして所要間隔を介して設けられた上面部と下面部とにそれぞれ被梱包物のコーナー部の上下面を保持する保持リブを設けると共に、被梱包物のコーナー部の交差する側面と対向すると共に上記の上面部と下面部とを連結する両側の側壁部にそれぞれ被梱包物のコーナー部の側面に当接する規制リブを設けるようにした。
【００１５】
ここで、上記のコーナー用緩衝材において、上記の上面部と下面部とに設ける保持リブを上記の両側の側壁部が交差する角部から４５度の角度で延出させると共に、上記の両側の側壁部に設けられた規制リブの角部側の面をそれぞれの側壁部に対して４５度傾斜させるようにすると、このようなコーナー用緩衝材を金型成型する場合において、金型を分離させる際に上記の保持リブや規制リブが邪魔になるということなく、上記のコーナー用緩衝材を発泡材料などを用いて簡単に一体成形できるようになる。
【００１６】
また、上記のコーナー用緩衝材における上下方向の緩衝効果をより一層高めるため、上記の上面部と下面部との少なくとも一方に、上記の保持リブとは反対側に突出した補強リブを設けるようにすることができる。
【発明の効果】
【００１７】
本発明におけるコーナー用緩衝材においては、その上面部と下面部とに設けられた保持リブによって被梱包物のコーナー部の上下面を保持させると共に、上面部と下面部とを連結する両側の側壁部に設けられた規制リブに被梱包物のコーナー部における両側の側面を当接させるようにして、被梱包物の各コーナー部に上記のコーナー用緩衝材を装着させる。
【００１８】
このようにすると、被梱包物の各コーナー部に装着された各コーナー用緩衝材の上面部と下面部とに設けられた保持リブによって、被梱包物が水平な状態で保持されるようになる。
【００１９】
そして、このように被梱包物の各コーナー部にコーナー用緩衝材を装着させた状態で、被梱包物を梱包箱内に収容させると、被梱包物が水平な状態で梱包箱内に収容されるようになり、中間転写ベルトユニットなどの水平性が要求される被梱包物を、梱包箱内に水平な状態にして適切に収容させる作業が簡単に行えるようになる。
【００２０】
また、上記のように被梱包物のコーナー部の上下面をコーナー用緩衝材の上面部と下面部とに設けられた保持リブによって保持させると、被梱包物の上下方向の動きが上記の保持部材によって規制されるようになり、従来のように分離された一対のコーナー用緩衝材によって被梱包物のコーナー部を挟み込む場合に比べて、被梱包物が上下方向にがたつくのが抑制されるようになる。
【００２１】
また、上記のように被梱包物を収容させた状態で梱包箱に上下方向の衝撃が加わった場合には、被梱包物のコーナー部の上下面を保持している上記の保持リブが変形して上下方向の衝撃が吸収され、被梱包物に加わる上下方向の衝撃が上記のコーナー用緩衝材によって十分に緩和されて、被梱包物が破損したりするのが防止される。
【００２２】
また、上記のように被梱包物を収容させた状態で梱包箱に横方向の衝撃が加わった場合には、被梱包物のコーナー部における両側の側面を当接させた上記の規制リブが変形して横方向の衝撃が吸収され、被梱包物に加わる横方向の衝撃が上記のコーナー用緩衝材によって十分に緩和されて、被梱包物が破損したりするのが防止される。
【発明を実施するための最良の形態】
【００２３】
次に、この発明の実施形態に係るコーナー用緩衝材を添付図面に基づいて具体的に説明する。なお、この発明に係るコーナー用緩衝材は、下記の実施形態に示したものに限定されず、その要旨を変更しない範囲において適宜変更して実施できるものである。
【００２４】
この実施形態に係るコーナー用緩衝材１０においては、図５及び図６に示すように、所要間隔を介して設けられた上面部１１と下面部１２とにそれぞれ対向するようにして保持リブ１１ａ，１２ａを設けると共に、上記の上面部１１と下面部１２とを連結する両側の側壁部１３，１３にそれぞれ規制リブ１４，１４を内方に突出するように設けている。
【００２５】
そして、この実施形態におけるコーナー用緩衝材１０においては、上記の上面部１１と下面部１２とに設ける保持リブ１１ａ，１２ａをそれぞれ両側の側壁部１３，１３が交差する角部１５から４５度の角度で延出させると共に、両側の側壁部１３，１３に設けられた規制リブ１４，１４の角部側の面１４ａ，１４ａをそれぞれの側壁部１３，１３に対して４５度傾斜させるようにしている。
【００２６】
ここで、上記のような保持リブ１１ａ，１２ａや規制リブ１４，１４を設けるようにすると、このようなコーナー用緩衝材１０を製造するにあたり、図示していないが、外形用と内形用の一対の金型を用いて成形するにあたり、内形用の金型を外形用の金型から分離させる際に、上記の保持リブ１１ａ，１２ａや規制リブ１４，１４が邪魔になるということなく、上記のコーナー用緩衝材１０を、金型を用いて発泡材料などで簡単に一体成形できるようになり、コーナー用緩衝材１０の製造コストを低減することができる。
【００２７】
そして、このようなコーナー用緩衝材１０を被梱包物２の各コーナー部に装着させるにあたっては、図７に示すように、コーナー用緩衝材１０の上面部１１と下面部１２とに設けられた保持リブ１１ａ，１２ａの間に被梱包物２のコーナー部を挿入させて、この被梱包物２のコーナー部の上下面を上記の保持リブ１１ａ，１２ａによって保持させると共に、図８に示すように、コーナー用緩衝材１０の両側の側壁部１３，１３に設けられた規制リブ１４，１４に被梱包物２のコーナー部における両側の側面を当接させて、図９に示すように、被梱包物２の各コーナー部にそれぞれ上記のコーナー用緩衝材１０を装着させるようにする。
【００２８】
そして、図１０に示すように、上記の各コーナー用緩衝材１０を被梱包物２の各コーナー部に装着させた状態で、この被梱包物２を梱包箱３内に収容させるようにする。
【００２９】
このように各コーナー用緩衝材１０を被梱包物２の各コーナー部に装着させた状態で、被梱包物２を梱包箱３内に収容させると、被梱包物２が各コーナー用緩衝材１０における保持リブ１１ａ，１２ａ間に水平に保持された状態で梱包箱３内に収容されるようになり、被梱包物２を梱包箱内に水平な状態にして適切に収容させる作業が簡単に行えるようになる。
【００３０】
また、上記のようにして被梱包物２を梱包箱３内に収容させると、被梱包物２の各コーナー部の上下面が各コーナー用緩衝材１０の上面部１１と下面部１２とに設けられた保持リブ１１ａ，１２ａによって保持されて、被梱包物２の上下方向の動きが規制され、被梱包物２が上下方向にがたつくのが抑制されるようになる。
【００３１】
さらに、上記のように被梱包物２を収容させた状態で梱包箱３に上下方向の衝撃が加わった場合には、被梱包物２のコーナー部の上下面を保持している上記の保持リブ１１ａ，１２ａが変形して上下方向の衝撃が吸収され、被梱包物２に加わる上下方向の衝撃が上記の各コーナー用緩衝材１０によって十分に緩和されるようになる。
【００３２】
また、梱包箱３に横方向の衝撃が加わった場合には、被梱包物２のコーナー部における両側の側面に当接させた上記の規制リブ１４，１４が変形して横方向の衝撃が吸収され、被梱包物２に加わる横方向の衝撃が上記の各コーナー用緩衝材１０によって十分に緩和されるようになる。
【００３３】
この結果、梱包箱３に上下方向や横方向の衝撃が加わった場合においても、これらの衝撃が上記の各コーナー用緩衝材１０によって十分に緩和され、被梱包物２が破損するのが防止される。
【００３４】
なお、上記の実施形態におけるコーナー用緩衝材１０においては、その上面部１１と下面部１２とにおいて、それぞれ対向するようにして保持リブ１１ａ，１２ａを設けるようにしただけであるが、このコーナー用緩衝材１０における上下方向の緩衝効果をより一層高めるため、図１１に示すように、上記の上面部１１と下面部１２とにそれぞれ上記の保持リブ１１ａ，１２ａとは反対側に突出した補強リブ１１ｂ，１２ｂを設けるようにすることができる。
【００３５】
さらに、このコーナー用緩衝材１０における横方向の緩衝効果をより一層高めるために、図示していないが、上記の両側の側壁部１３，１３にそれぞれ規制リブ１４，１４とは逆方向に突出した補強リブを設け、この補強リブを上記の梱包箱３に当接させるようにすることも可能である。
【図面の簡単な説明】
【００３６】
【図１】従来使用されている一対のコーナー用緩衝材を示した概略斜視図である。
【図２】図１に示した一対のコーナー用緩衝材を被梱包物の各コーナー部に装着させた状態を示した概略斜視図である。
【図３】被梱包物を梱包箱内に収容させるにあたり、図１に示した一方のコーナー用緩衝材を梱包箱の底部の各隅部に配置させた状態を示した断面説明図である。
【図４】図１に示した一対のコーナー用緩衝材を被梱包物の各コーナー部に装着させて、被梱包物を梱包箱内に収容させた状態を示した断面説明図である。
【図５】本発明の一実施形態に係るコーナー用緩衝材を示した概略斜視図である。
【図６】同実施形態に係るコーナー用緩衝材の断面説明図である。
【図７】同実施形態に係るコーナー用緩衝材の上面部と下面部とに設けられた保持リブによって被梱包物のコーナー部の上下面を保持させた状態を示した断面説明図である。
【図８】同実施形態に係るコーナー用緩衝材の両側の側壁部に設けられた規制リブに被梱包物のコーナー部における両側の側面を当接させた状態を示した断面説明図である。
【図９】同実施形態に係るコーナー用緩衝材を被梱包物の各コーナー部に装着させた状態を示した概略斜視図である。
【図１０】同実施形態に係るコーナー用緩衝材を被梱包物の各コーナー部に装着させた状態で被梱包物を梱包箱内に収容させた状態を示した断面説明図である。
【図１１】同実施形態に係るコーナー用緩衝材において、上面部と下面部とにそれぞれ保持リブとは反対側に突出した補強リブを設けた変更例の概略斜視図である。
【符号の説明】
【００３７】
２  被梱包物
３  梱包箱
３ａ  底部
１０  コーナー用緩衝材
１１  上面部
１２  下面部
１１ａ，１２ａ  保持リブ
１１ｂ，１２ｂ  補強リブ
１３  側壁部
１４  規制リブ
１４ａ  規制リブの角部側の面
【図１】
2008184171.tif 000003
【図２】
2008184171.tif 000004
【図３】
2008184171.tif 000005
【図４】
2008184171.tif 000006
【図５】
2008184171.tif 000007
【図６】
2008184171.tif 000008
【図７】
2008184171.tif 000009
【図８】
2008184171.tif 000010
【図９】
2008184171.tif 000011
【図１０】
2008184171.tif 000012
【図１１】
2008184171.tif 000013